(57)【特許請求の範囲】
【請求項１】
光出射面が形成され前記光出射面の周囲に４つの辺を備えた導光板と、前記導光板の少なくとも一端に配置され前記導光板の側面から光を入射する光源とを有し、
前記光出射面の前記４つの辺に沿って、前記導光板からの光を前記導光板の光出射面と直交する方向に制御する光制御手段を配置したことを特徴とする植物育成用照明装置。
【請求項２】
光出射面が形成され前記光出射面の周囲に複数の辺を備えた導光板と、前記導光板の少なくとも一端に配置され前記導光板の側面から光を入射する光源とを有する照明ユニットの複数個を、前記光出射面を同一方向にして前記導光板の面方向に配置してなる植物育成用照明装置であって、
前記複数の照明ユニットで構成される前記複数の光出射面の全体形状が、当該全体形状の周囲に4つの辺を備えた四角形とされ、
前記四角形の光出射面全体の一部の領域には、前記４つの辺に沿って、前記導光板からの光を前記導光板の光出射面と直交する方向に制御する光制御手段を配置したことを特徴とする植物育成用照明装置。
【請求項３】
請求項１または２に記載の植物育成用照明装置であって、
前記光制御手段は、プリズムシートであることを特徴とする植物育成用照明装置。
【請求項４】
請求項３に記載の植物育成用照明装置であって、
前記プリズムシートは、複数の三角柱が平行に配列したプリズム面を有し、当該三角柱が前記縁部と平行になるように光出射面に配置されることを特徴とする植物育成用照明装置。
【請求項５】
請求項４に記載の植物育成用照明装置であって、
前記光出射面は多角形の形状を有し、一つの辺とそれに隣接する辺とが交差する角部では、前記一つの辺に沿って配置される第1のプリズムシートと、前記隣接する辺に沿って配置される第２のプリズムシートとを交差するように重ねて配置したことを特徴とする植物育成用照明装置。
【請求項６】
請求項１ないし５のいずれか1項に記載の植物育成用照明装置であって、
前記光源がＬＥＤであることを特徴とする植物育成用照明装置。
【請求項７】
複数の支柱を含む枠体と、前記枠体の上部に固定された照明装置と、前記枠体の株に設置される苗棚とを備えた植物育成装置であって、
前記照明装置として、請求項１ないし６いずれか1項記載の照明装置を備えたことを特徴とする植物育成装置。
【請求項８】
複数の支柱を含む枠体と、前記枠体内で、垂直方向に間隔をもって配置された複数段の苗棚と、前記複数段の苗棚の各々の上部に固定された照明装置とを備えた植物育成装置であって、
前記照明装置として、請求項１ないし６いずれか1項記載の照明装置を備えたことを特徴とする植物育成装置。
【請求項９】
請求項７または８に記載の植物育成装置であって、前記苗棚と前記照明装置の光出射面とが実質的に同じ面積であることを特徴とする植物育成装置。
【発明の詳細な説明】
【技術分野】
【０００１】
本発明は、花キ、野菜等の植物の苗の育成装置で用いられる照明装置に関する。
【背景技術】
【０００２】
植物の培養や苗の育成を行なう装置の照明装置として、従来、蛍光灯などの照明が用いられてきたが、苗の生長に伴い照明装置からの発熱により葉焼けするという問題や、苗床を多段化する場合、照明装置の厚みにより、段数の増加が制限されるという問題があった。これらの問題を解決するものとして、近年、厚みが薄く、均一性に優れる面光源を利用した照明装置が実用化されている（特許文献１、特許文献２）。面光源は、端部に光源を配置した導光板からなり、液晶ディスプレイ（ＬＣＤ）等用の照明装置として開発された技術、例えばリフレクタ、拡散シートなどを組み合わせた技術が応用されている。
【０００３】
しかしＬＣＤ等では高輝度、広視野角などの特性が重視されるのに対し、植物育成装置に用いられる照明装置では、照明装置から所定の間隔をもって配置される植物に対し、苗の育成に必要な光量が照射され且つ光量分布が均一であることが重要である。特許文献１では、照度を均一化するために、照明装置の導光板の下側に、光制御手段として光拡散シートを配置することが提案されている。しかし光の拡散を利用して均一化を図った場合、導光板の周辺ではそれより内側と同様の光量を保つことは困難である。このため、特許文献１記載の照明装置を用いた植物培養装置は、照明装置が設置される天井開口の面積よりも培養容器が置かれる底面の面積を狭くし、光が届きにくい照明装置端部の直下には植物が配置されないようになっている。
【０００４】
特許文献２には、植物苗保存棚の照明装置において、苗箱が置かれた面において、略同一の照度を達成するように、導光板の裏面に輝度を調節する印刷等を行ない、中央部から周辺部にかけて同心状に高輝度となるようにすることが提案されている。
【先行技術文献】
【特許文献】
【０００５】
【特許文献１】特開２００４−４９２１１号公報
【特許文献２】特開２００１−２８９４６号公報
【発明の概要】
【発明が解決しようとする課題】
【０００６】
植物苗の育成装置では、空間を効率よく使用するために、苗を配置する棚を多段化しているが、さらなる効率化を図るためは、棚の平面における空間利用率を高めるとともに段数の増加という要請がある。また植物苗の育成装置では、苗が置かれる面（培地面）のみならず、苗が生長する長さの範囲に亘って、培地面と平行な面内の光量の均一性が求められる。
【０００７】
特許文献１に記載されるような光の拡散を利用して均一性を高めた照明装置では、照明装置の近傍では均一性の高い照度が得られるが、被照明植物と照明装置との距離が離れると中央付近と周辺部で照度の差が大きくなる。このため照明装置の周辺部直下では、それより内側の部分に比べ光量が減少し、苗容器全体の均一性を保つためには、照明装置の面積よりも底面積が小さい苗容器を採用する必要があり、面方向の空間利用率に限界がある。
【０００８】
特許文献２に記載された技術では、苗が置かれる面では、ある程度光量を均一にすることができるが、中央部の輝度を周辺部に比べ低くしているため、照明装置に近い面では光量の均一度は低下する。従って苗が生長して照明装置に近づいた場合に、光量の均一性を保つことができない。すなわち特許文献１や特許文献２に記載された技術では、照明装置からの距離によって光の均一性に差があり、苗の成長に従って光の均一性を保てないという問題がある。また特許文献２に記載された技術では、光量の均一性を保つためには、照明装置と苗との間にある程度距離を置く必要があり、多段化する際に段数の増加には限界がある。
【０００９】
本発明は、苗の生長する長さの範囲に亘って、培地面と平行な面内の光量の均一性を向上させた照明装置を提供すること、また苗生育のばらつきが少なく且つ苗育成時の空間利用率を高めることが可能な植物育成装置を提供することを課題とする。
【課題を解決するための手段】
【００１０】
上記課題を解決するため本発明によれば、以下の植物育成用照明装置および植物育成装置が提供される。
【００１１】
すなわち本発明の照明装置は、導光板と、導光板の少なくとも一端に配置された光源とを有し、導光板の縁部に沿った光出射面の一部の領域に、導光板からの光を導光板の光出射面と直交する方向に制御する光制御手段を配置したことを特徴とする。或いは、本発明の照明装置は、導光板と、導光板の少なくとも一端に配置された光源とを有する照明ユニットを導光板の面方向に複数配置してなり、複数の照明ユニットで構成される光出射面の縁部に沿った一部の領域に、導光板からの光を導光板の光出射面と直交する方向に制御する光制御手段を配置したことを特徴とする。
【００１２】
本発明の植物育成用照明装置において、例えば、光制御手段は、プリズムシートである。プリズムシートは、例えば、複数の三角柱が平行に配列したプリズム面を有し、当該三角柱が縁部と平行になるように光出射面に配置される。
【００１３】
本発明の植物育成用照明装置において、例えば、光出射面は多角形の形状を有し、一つの辺とそれに隣接する辺とが交差する角部では、一つの辺に沿って配置される第1のプリズムシートと、隣接する辺に沿って配置される第２のプリズムシートとが交差するように重ねて配置される。
【００１４】
本発明の植物育成用照明装置であって、例えば、光源はＬＥＤである。
【００１５】
また本発明の植物育成装置は、複数の支柱を含む枠体と、枠体の上部に固定された照明装置と、枠体の下部に設置される苗棚とを備え、照明装置として、上述した本発明の照明装置を備えたことを特徴とする。或いは、本発明の植物育成装置は、複数の支柱を含む枠体と、枠体内で、垂直方向に間隔をもって配置された複数段の苗棚と、複数段の苗棚の各々の上部に固定された照明装置とを備え、照明装置として、上述した本発明の照明装置を備えたことを特徴とする。
【００１６】
本発明の植物育成装置は、好適には、苗棚と照明装置の光出射面とが実質的に同じ面積である。
【発明の効果】
【００１７】
本発明の植物育成用照明装置によれば、導光板の周辺部のみの配光を制御することにより、照明装置全体としての光量を減らすことなく、照明装置と被照射植物との間で、導光板と平行な面内における光量の均一性を改善することができる。従って、照明装置下にある全ての植物に対し、幼苗時から成長して照明装置に近づくまで、成長に必要な光量を与えることができ、成長のばらつき特に周辺部の生長不良をなくすことができる。また複数の苗床を敷き詰めて大面積の植物育成装置としたとき、同一面内に配置される苗床の充填率を高めることができる。
【００１８】
また照明装置からの距離の比較的長い範囲に亘って、面内光量の均一性を達成できるので、照明装置と苗床との間の距離を植物の生長長に合わせて最短とすることができ、より多くの段数を達成できる。
【図面の簡単な説明】
【００１９】
【図１】本発明の照明装置の第1の実施形態を示す図で、（ａ）は上面図、（ｂ）は部分側断面図である。
【図２】図１の照明装置に用いられるプリズムシートを示す斜視図
【図３】図１の照明装置の光の広がりを説明する図で、（ａ）は水平方向の広がり、（ｂ）は垂直方向の広がりを示す図である。
【図４】（ａ）、（ｂ）は、それぞれ、プリズムシートを配置しない導光板を用いた照明装置の光の広がりと、照度分布を示す図
【図５】導光板の全面にプリズムシートを配置した場合の照度分布を示す図
【図６】（ａ）、（ｂ）はそれぞれ本発明の照明装置の第２の実施形態を示す図で、照明装置の光出射面から見た図である。
【図７】本発明の植物育成装置の実施形態を示す図
【図８】実施例における光量子束密度を測定方法を説明する図で、（ａ）は光量子センサの配置を示す図、（ｂ）は光量子測定点を示す図である。
【図９】実施例１および比較例１、２における照明装置からの距離２００ｍｍの面における照度分布を示すグラフ
【図１０】実施例１〜３における照明装置からの距離に応じた照度平均値を示すグラフ
【図１１】実施例１〜３における照明装置からの距離に応じた照度分布のばらつきを示すグラフ
【発明を実施するための形態】
【００２０】
＜照明装置＞
本発明の植物育成用照明装置の実施形態を、図面を参照して説明する。
【００２１】
＜第一実施形態＞
図１は、本発明の植物育成用照明装置の第一実施形態を示す図で、（ａ）は照明装置の光出射面側から見た図、（ｂ）は側断面図である。この照明装置１０は、主として、光出射面（図中、下側）に大きな開口を有する筐体１１と、筐体１１の端部に固定された光源ユニット２０と、筐体１１の端部より内側の底面に固定された導光板ユニット３０と、導光板ユニット３０を覆う防水ガラス１３とからなる。
【００２２】
筐体１１は、光源ユニット２０及び導光板ユニット３０が固定された本体部１１ａと本体部１１ａの光出射面側の周辺を覆う蓋部１１ｂとからなる。蓋部１１ｂには、導光板ユニット３０とほぼ同寸の開口が形成されており、開口側の端部は防水パッキン１５を介して防水ガラス１３の外面端部に固定されている。この構造により、筐体１１（本体部および蓋部）と防水ガラス１３で形成される内部空間、すなわち導光板ユニット３０と光源ユニット２０とが配置された空間に、外部から水が浸入しないようになっている。
【００２３】
光源ユニット２０は、本実施形態では、ＬＥＤ２１と、それを外部の電源（図示せず）に接続するための基板２２と、ＬＥＤ２１から発せられる熱を放熱するための放熱板２３とからなり、ＬＥＤ２１の光出射部が、導光板ユニット３０の端部に最も近い位置に位置するように配置される。ＬＥＤ２１は、照明装置により光照射される植物の生長時期や特性に合わせて所定の波長のものが選択される。側断面図である図１（ｂ）では、ＬＥＤ素子は一つのみが示されているが、導光板の一辺に沿って複数のＬＥＤ素子をライン状に配置した線状光源が用いられる。
【００２４】
導光板ユニット３０は、導光板３１とその一方の面に貼着された反射シート３３と他方の面に貼着されたプリズムシート３５とからなる。反射シート３３は、導光板３１から出射する光を導光板３１側へ戻すもので、白色樹脂シートやＡｌ等の金属箔膜など高反射材料からなる。反射シート３３が貼着された導光板の面と反対側の面が光出射面となる。導光板３１は、ガラス、アクリル樹脂等の透光性に優れた材料からなり、光出射面にドット等のパターンが印刷されたものを用いることができる。また光源部２０の配置に応じて、例えば、光源部２０が導光板３１の四辺すべてに配置されているか１辺〜３辺に配置されているかに応じて、光源部からの距離に応じて厚みに傾斜を持たせたものや印刷パターンが形成されているものを用いることができる。図１に示す実施形態では、光源部２０は導光板３１の四辺に配置されており、導光板３１としては厚みの変化のないフラットなものが用いられている。
【００２５】
プリズムシート３５は、図２に示すように、片面に複数の平行な断面Ｖ字状の溝を形成し、複数の三角柱を平行に配置したような形状のプリズム面を持つシートであり、プリズム面が下向きとなるように導光板３１に貼着される。プリズムシート３５の、隣接するＶ字状溝によって形成される頂角は７０°〜１２０°であり、これによりプリズム面と反対側（つまり導光板側）から入射する種々の方向の光を屈折させて、特に溝と直交する方向に成分を持つ光をプリズム面と直交する方向（垂直方向）に出射する。
【００２６】
このような構造のプリズムシート３５は、図１（ａ）に示すように、四角形の導光板３１の４つの辺に沿って所定の幅で貼着されている。この際、辺とＶ字状溝とが平行になるように配置する。一辺に沿って貼着されたプリズムシート３５と、その辺と隣接する辺に沿って貼着されたプリズムシート３５とは、両辺が交差する角部において互いに交差するように重ねて配置される。プリズムシート３５の幅、すなわち導光板３１のプリズムシートが貼着される領域の縁部からの幅は、導光板３１の幅（光出射面の幅）に対し、好ましくは６％以上（両側の領域の合計で１２％以上）、より好ましくは１０％以上（両側の領域の合計で２０％以上）とする。また好ましくは３０％以下（両側の領域の合計で６０％以下）、より好ましくは２５％以下（両側の領域の合計で５０％以下）とする。
【００２７】
このようにプリズムシートを配置した場合の光の広がりを、図３を参照し説明する。図３において、（ａ）は水平方向の光の広がり、（ｂ）は垂直方向の光の広がりを示す。また参考として、プリズムシートを用いない場合の光の広がりと照度分布を図４（ａ）、（ｂ）に、２枚のプリズムシートをプリズムの方向を直交させて導光板の全面に配置した場合の照度分布を図５に、それぞれ示す。
【００２８】
プリズムシートがない状態では、図４（ａ）に示すように、導光板３１からの出射した光は導光板の中央から周辺に向かって一様に拡散し、導光板から所定の距離にある導光板と平行な面における照度は、図４（ｂ）に示すように導光板中央の増したで最も高く、周辺部（特に四隅）において照度が低下する分布を示す。
一方、プリズムシートを全面に配置した場合には、プリズムシートによって拡散する光の方向を垂直方向に屈折させることができるため、中央部とその周辺における照度分布の不均一を解消することができるが、本来、光の拡散により周辺部に到達するはずの光の量が減り、図５に示したように、周辺部では照度が低下する。
【００２９】
これに対し、プリズムシートを導光板の周辺（ゾーンＡ、Ｂ）に沿って配置した場合には、図３（ａ）、（ｂ）に示すように、プリズムシートが配置されていない部分では、導光板３１からの出射した光は中央Ｃから周辺（ゾーンＡ、Ｂ）に向かって一様に拡散するが、プリズムシートが配置されたゾーンＢにおいて、プリズムと直交する方向の成分はプリズムシートによって垂直方向に屈折される。すなわち図３（ｂ）で真下に向かう光となる。またゾーンＢにおいて、プリズムと平行な方向の成分はその方向に沿ってプリズムシートの両端部側に向けられるが、四隅（ゾーンＡ）に配置された、それと直交する方向のプリズムシートによって垂直方向に屈折される。これにより拡散光の多くが周辺部（ゾーンＡ、Ｂ）において垂直方向に向けられ、周辺部から外側への光の漏れが少なく、全体として均一な照度が得られる。特に図４（ｂ）に示すような、照度低下の著しい四隅について、照度を上げることができる。
【００３０】
本実施形態によれば、プリズムシート３５を導光板の光出射面の端部に沿った一部の領域に配置することにより、照明装置から比較的離れた面における光量分布の均一性を改善することができるとともに、全面に配置した場合に比べ光量の低下を低減できる。しかもプリズムシートの使用量は少なくてすむ。
【００３１】
また導光板ユニット３０の周辺部から外側に広がる光の量を少なくできるので、プリズムシート３５を含む導光板ユニット３０の近傍から離れた位置まで比較的長い範囲に亘り、均一な光量分布を達成することができる。
【００３２】
＜第二実施形態＞
本発明の照明装置の第二実施形態として、本発明を複数の面光源ユニットを連結した照明装置に適用した実施形態を、図６を参照して説明する。
図６は、本実施形態の照明装置を光出射面側から見た図であり、（ａ）は４つの照明ユニット１０’を連結した照明装置、（ｂ）は２つの光源ユニット１０’を連結した照明装置である。ただし連結するユニットの数は、図示するものに限らず、任意である。
【００３３】
第一実施形態では、一枚の導光板の４辺に沿ってプリズムシートを配置したものであるが、本実施形態では、照明装置全体で構成される形状について、その形状の周辺部に沿ってプリズムシートを配置する。この場合にも、例えば形状が四角形である場合、プリズムシートのプリズムの向きは各辺に沿って配置し、角ではそれぞれが交差するように重ねて配置する。（ａ）に示す４ユニット構成の照明装置では、各ユニットは、照明装置の周辺となる２辺にのみ、それぞれプリズムシートが配置され、角部では、それら２枚のプリズムシートが重ねられている。（ｂ）に示す２ユニット構成の照明装置では、照明装置の周辺となる３辺に、それぞれプリズムシートが配置されている。プリズムシートの配置を除く、照明ユニット１０’の構造は、図１に示した照明装置と同様であり、説明を省略する。
【００３４】
本実施形態の照明装置においても、第一実施形態の照明装置と同様に、導光板から出射され、照明装置の周辺方向に拡散する光は、プリズムシートによって垂直方向に屈折されるので、周辺部真下の光量を減らすことなく、照明装置（導光板）の直近から長い範囲に亘り、導光板と平行な面内で均一な光量分布を得ることができる。
【００３５】
なお以上の実施形態では、光源としてＬＥＤを用いた場合を説明したが、光源はＬＥＤに限定されず、蛍光灯、冷陰極蛍光ランプ等の公知の光源を用いることも可能である。その場合でも、光源部分は植物が置かれる面の真上から外れた位置にあるので葉やけの問題は避けることができ、また光源の厚みによる多段化の障害にはならない。
【００３６】
＜植物育成装置＞
次に本発明の植物育成装置について説明する。本発明の植物育成装置は、照明装置として、上述した本発明の照明装置を用いたものであり、その規模や大きさに応じて、単一の導光板ユニットからなる照明装置や複数の照明ユニットで構成される照明装置やさらにはそれらを適宜組み合わせた照明装置を利用することができる。以下、本発明を、水耕栽培用育成装置に適用した一実施形態を説明する。
【００３７】
図７は、水耕栽培用植物育成装置の一部概要を示す図で、この植物育成装置７０は、複数の棚板７１と、それら棚板７１を互いに所定の間隔で支持する支柱７３と、各棚板７１の上に設置された水耕栽培用水槽７５と、棚板７１の下部に固定された照明装置７７とを備えている。
【００３８】
照明装置７７は、図１に示すような、１枚の導光板の端部に光源（ＬＥＤ）を固定するとともに、導光板の周辺部にプリズムシートを貼着した構造を有している。支柱７３には棚板７３と平行して複数の横板７４が固定されており、支柱７３および横板７４で植物育成装置７０の枠体を構成する。また照明装置７７はこの横板７４と棚板７３との間に形成される溝に嵌合することにより、棚板７３に固定されている。この状態で、光源ユニットに含まれる放熱板の部分は上記溝内に位置し、光源から発生する熱は、放熱板から支柱７３を介して放出される。従って植物５０の生育に伴い照明装置７７との距離が近づいても、照明装置７７からの発熱で植物５０が葉やけなどを起こすことが防止できる。
【００３９】
照明装置７７からは、光が図３に示すような分布で出射され、その結果、棚板７３面から照明装置７７の導光板ユニット面までの間、導光板ユニットの面積とほぼ同じ面積の面内で植物育成に必要な光量が確保でき且つ均一性の高い照度分布が得られる。従って、棚板７４に置かれた水槽７５に植えられた植物５０は、生育の初期から所定の長さに生長するまで、ほぼ一様に生育することができる。
【００４０】
このような本実施形態の植物育成装置によれば、照明装置の大きさと、植物が生育のばらつきなく生育できる面積とを一致させることができるので、平面における植物配置空間の無駄をなくすことができる。また垂直方向に付いても、比較的長い距離に亘って水平面内の照度分布を均一にできるので、水平面内の照度分布が垂直方向について一様でなかった従来の植物育成装置に比べ、棚板の間隔を短くすることができ、段数を増加させることが可能である。
【実施例】
【００４１】
以下、本発明の実施例を説明する。
＜実施例１、比較例１、２＞
片面に反射シートを積層した導光板（アクリル板）のもう一方の面に、その４辺に沿って幅３５ｍｍのプリズムフィルム（米国３Ｍ社製  輝度上昇フィルム  商品名：ＢＥＦ２）を貼着し、角部では２枚のプリズムフィルムを重なるようにした。このプリズムフィルム付き導光板を用いて、図１に示す構造を有する照明装置（サイズ：６００ｍｍ×６００ｍｍ）を作製した。光源としては、面実装タイプのＬＥＤ４００個を用いた。この照明装置の発光面（光出射面）のサイズは５５９ｍｍ×５５９ｍｍである。
【００４２】
この照明装置の光出射面から０ｍｍ、５０ｍｍ、１００ｍｍ、２００ｍｍの距離で、光出射面と平行な面における光量子束密度を測定した。測定には、図８（ａ）に示すように、３ｃｍ幅のフレーム８１の下にフレームに沿って可動な光量子センサ８３（ＬＩ-ＣＯＲ社製、LI-190SA）を設置した測定具８０を用い、照明装置１０をその光出射面が上向きとなるように設置するとともに、照明装置１０に対する光量子センサ８３の位置を変えながら、複数の点の光量子束密度を測定することにより行った。測定点は、図８（ｂ）に示すように、６００ｍｍ×６００ｍｍの測定面に縦横各１００ｍｍ間隔で配置されたマトリックス上の３６点とした。
【００４３】
プリズムフィルムを用いない以外は実施例１と同様に作製した照明装置を比較例１とし、実施例１と同じ導光板の全面に２枚のプリズムフィルムをプリズムの方向が互いに直交するように貼着したものを用いた他は実施例１と同様に作製した照明装置を比較例２として、実施例１と同様に光出射面から異なる距離にある面内の光量子束密度を測定した。
【００４４】
結果を表１および図９に示す。表１において、３６点の光量子束密度の平均値を「ＡＶＥ」、最大値を「ＭＡＸ」、最小値を「ＭＩＮ」で示した（以下、同じ）。また図９は、光出射面から距離２００ｍｍの面で、図８（ｂ）に示す３６点のうち２本の対角線上にある点の光量子束密度を抽出し、それぞれ端部から平均したものをグラフにしたものである。
【００４５】
【表１】
0005597003.tif 000002
【００４６】
これら結果から、実施例１の照明装置では、比較例１、２に比べ端部の光量子密度が高く、均一度が改善されていることがわかる。また実施例１では、照明装置から２００ｍｍ離れた位置でも、植物の生育に必要とされている１００μmol/m2/s以上の光量子密度が確保できることが確認された。
【００４７】
＜実施例２、３＞
導光板に貼着するプリズムフィルムの幅をそれぞれ１７．５ｍｍ、７０ｍｍに代えて、それ以外は実施例１と同様にして、実施例２および３の照明装置を作製した。これら作製装置についても、実施例１と同様に、光出射面からの距離が異なる４つの面における光量子密度を測定した。その結果を表２、図１０および図１１に示す。図１０は、実施例１〜３の各距離における平均照度を示すグラフ、図１１は、実施例１〜３の各距離における照度分布のばらつきを示すグラフである。
【００４８】
【表２】
0005597003.tif 000003
【００４９】
これら結果から、フィルムの幅を異ならせた場合にも、比較例１、２に比べて均一度が向上すること、また図１０に示すように、照明装置からの距離が２００ｍｍでも１００μmol/m2/s以上の光量が確保できることが確認された。照度分布（光量分布）の変動係数については、図１１に示すように、照明装置からの距離が長くなるにつれて値が大きくなる傾向があるが、実施例１については、距離が長い（２００ｍｍ）ところでも、比較的小さな値を示した。植物の生長のばらつきを押さえるために変動係数は小さいほど好ましいので、実施例１では、植物の生長初期において生長のばらつきを抑制する効果が最も高いことが示された。
【産業上の利用可能性】
【００５０】
本発明によれば、照明装置の直下において比較的長い距離範囲に亘って照度の面内均一性を改善した照明装置を提供することができる。またこの照明装置を植物育成装置の照明装置として用いることにより、植物生育のばらつきを抑制することができるとともに、植物育成に必要な光量を確保しながら水平方向と垂直方向ともに空間利用効率を高めることができる。
【符号の説明】
【００５１】
１０・・・照明装置、１１・・・筐体、２０・・・光源部、２１・・・ＬＥＤ、３０・・・導光板ユニット、３１・・・導光板、３３・・・反射シート、３５・・・プリズムシート、５０・・・植物、７０・・・植物用育成装置、７３・・・支柱、７５・・・棚板、７７・・・照明装置。
【図１】
0005597003.tif 000004
【図２】
0005597003.tif 000005
【図３】
0005597003.tif 000006
【図４】
0005597003.tif 000007
【図５】
0005597003.tif 000008
【図６】
0005597003.tif 000009
【図７】
0005597003.tif 000010
【図８】
0005597003.tif 000011
【図９】
0005597003.tif 000012
【図１０】
0005597003.tif 000013
【図１１】
0005597003.tif 000014